(57)【要約】【課題】報知と蚊除け、照明及び充電等の機能が実現される多機能杖を提供する。【解決手段】二つのケースに収納される発電機と回路基板とがあり、発電機にクランクハンドルが結合され、クランクハンドルが回転されると、電気エネルギーが発電機から出力されて回路基板に接続される蓄電池に蓄蔵され、回路基板に閃光報知回路やブザー音声回路、照明回路及び充電回路等が設けられ、閃光報知回路がケースの一端に位置する報知灯に接続され、ブザー音声回路がブザーに接続され、照明回路が照明灯に接続され、充電回路が充電ソケットに接続され、そして、スイッチにより素子の開閉が制御される。【選択図】図３
0003120871.tif 000002
【実用新案登録請求の範囲】
【請求項１】
主として、二つの互いに嵌合できるケースに収納されるバッテリーパックと回路基板等の部品からなり、当該回路基板に、閃光報知回路とブザー音声回路、照明回路及び充電回路が設けられ、当該閃光報知回路が、二つの互いに嵌合できるケースの一端にある報知灯に接続され、当該ブザー音声回路が、報知灯の下方に位置するブザーに接続され、当該照明回路が、二つの互いに嵌合できるケースのもう一端に設置される照明灯に接続され、当該充電回路が、充電ソケットに接続され、当該充電ソケットが、ケースにある貫通孔に嵌設され、外部の電器がそれにより充電され、また、回路基板に、報知灯とブザー及び照明灯を開閉するためのスイッチが設けられる、
ことを特徴とする多機能杖。
【請求項２】
当該二つのケースに発電機が収納され、当該発電機は、歯車対が内蔵され、クランクハンドルが、当該歯車対の首歯車と結合することにより、当該歯車対を介して、発電モータに接続され、また、当該発電モータが設けられた回路基板に、バッテリーパックがあり、当該バッテリーパックが、発電モータが出力した電気エネルギーを蓄蔵することを特徴とする請求項１に記載の多機能杖。
【請求項３】
当該照明灯は、集光笠によって覆われることを特徴とする請求項１に記載の多機能杖。
【請求項４】
当該報知灯は、報知灯笠によって覆われることを特徴とする請求項１に記載の多機能杖。
【請求項５】
当該照明灯は、灯笠によって覆われることを特徴とする請求項１に記載の多機能杖。
【考案の詳細な説明】
【技術分野】
【０００１】
本考案は、杖に関し、特に、照明と報知、蚊除け及び充電等の機能を有する杖に関する。
【背景技術】
【０００２】
一般の杖は、ユーザーが握るための杖頭部分があり、当該一般の杖は、ユーザーに、歩く時、補助の機能を提供し、ユーザーが健脚や登山をする時、危険な場面に遭う場合、何の補助も提供できない。
【考案の開示】
【考案が解決しようとする課題】
【０００３】
本考案の目的は、報知と蚊除け、照明及び充電等の実用機能を実現する多機能杖を提供する。
【課題を解決するための手段】
【０００４】
本考案は、上記の目的を達成するために、閃光報知回路が、報知灯に接続され、ブザー音声回路が、ブザーに接続され、照明回路が、照明灯に接続され、そして、スイッチにより、上記の素子の開閉が制御される多機能杖である。
【考案を実施するための最良の形態】
【０００５】
図１〜４のように、本考案は、多機能杖１であり、主として、二つの互いに嵌合できるケース１０、１１に収納される発電機１２と回路基板１３等の部品からなり、当該発電機１２は、歯車対１２１が内蔵され、ケース１０の外部に位置するクランクハンドル１４が、当該歯車対１２１の首歯車１２１１と結合することにより、当該歯車対１２１を介して、発電モータ１２２に接続され、また、当該発電モータ１２２が設けられる回路基板１３に、バッテリーパック１５があり、ニッケル水素蓄電池である当該バッテリーパック１５は、発電モータ１２２が発生した電気エネルギーを蓄蔵することに供され、また、当該回路基板１３に、閃光報知回路とブザー音声回路、照明回路及び充電回路が設けられ、当該閃光報知回路が、杖頭１の後端に位置する報知灯１６に接続され、当該報知灯１６を覆うように報知灯笠１６１が設けられ、また、報知灯１６の下方に、ブザー１７が設けられ、当該ブザー１７が、回路基板１３のブザー音声回路に接続され、また、杖頭１の先端に、照明灯１８が設けられ、当該照明灯１８が、回路基板１３の照明回路１３３に接続され、当該照明灯１８を覆うように集光笠１８１が設けられ、また、集光笠１８１の外側に灯笠１８２が設置され、また、当該照明灯１８の上方に、スイッチ１９が設けられ、当該スイッチ１９は、一端が回路基板１３に接続され、もう一端が押し部１９１に接続され、回路基板１３の充電回路に、ケース１１にある貫通孔１１０に対応する充電ソケット２０が設けられる。
【０００６】
組み立てる時、図３〜８を参照しながら、発電機１２と回路基板１３及びバッテリーパック１５を、杖頭１の二つのケース１０、１１の中に設置し、また、報知灯１６と報知灯笠１６１及びブザー１７を二つのケース１０、１１の後端に設置し、また、照明灯１８と集光笠１８１、灯笠１８２及びスイッチ１９を、二つのケース１０、１１の先端に設置し、これにより、二つのケース１０、１１が結合されると、当該発電機１２と回路基板１３がケース１０、１１の内に収納されて固定され、また、当該報知灯１６と報知灯笠１６１及びブザー１７が、ケース１１の後端に係合され、また、ケース１１の後端に、照明灯１８と当該照明灯１８に嵌合する集光笠１８１と集光笠１８１を覆う灯笠１８２が係合され、当該スイッチ１９の押し部１９１が、ユーザーが押すことができるように、二つの嵌合するケース１０、１１から露出して設けられ、また、当該充電ソケット２０が、ケース１１にある貫通孔１１２に嵌設され、電器製品の充電に供し、例えば、携帯電話やノットブック等の充電に供し、また、クランクハンドル１４が、発電機１２に組み立てられる。
【０００７】
使用する時、クランクハンドル１４を回転することにより、発電機１２の首歯車１２１１が連動されて回転され、当該首歯車１２１１の回転により、歯車対１２１が連動されて、発電モータ１２２が駆動されることにより、電気エネルギーが発生され、当該電気エネルギーは、バッテリーパック１５に蓄蔵されて、各素子を駆動するための電源とし、また、ユーザーが、当該スイッチ１９の押し部１９１を押すことにより、機能を切り替えることができ、例えば、電源が、報知灯１６に対して出力する時、報知灯１６の閃光により、他の人にユーザーの位置を知らせ、また、電源が、ブザー１７に対して出力する時、ブザー１７が、蚊除けや犬除けの音波やお経の音楽等を出力し、また、電源が、照明灯１９に対して出力する時、当該集光笠１９１の屈折により増強された照明灯１９の光が、より遠いところに届き、夜に光が足りない時、道を照明することができる。
【０００８】
本考案は、上記の構造により、以下の利点が得られる。
【０００９】
本考案は、杖頭の一端に、照明灯が設けられ、また、集光笠が設置されるため、照明灯が発射した光の輝度や距離が増加され、夜間や光が不足である時の照明に貢献する。
【００１０】
本考案は、杖頭のもう一端に、閃光する報知灯が設けられるため、報知灯の閃光により、ユーザーの位置を、他の人に知らせることができる。
【００１１】
本考案は、ブザーが設けられるため、回路基板のブザー音声回路により、蚊除けや犬除けの音波が発することができ、ユーザーを、健脚や登山の時、蚊や野犬から守ることができる。
【００１２】
本考案は、杖頭に充電ソケットが設けられるため、ノットブックや携帯電話等の電器製品に接続されると、当該電器製品の電源を提供できる。
【００１３】
本考案は、手でクランクハンドルを回すことにより、発電機が電気エネルギーを生成するため、電池交換が不要である。
【図面の簡単な説明】
【００１４】
【図１】本考案の多機能杖の杖頭の外観図である。
【図２】図１の多機能杖の杖頭の後ろ側の外観図である。
【図３】本考案の多機能杖の杖頭の立体分解図である。
【図４】本考案の多機能杖の杖頭内の発電機の断面図である。
【図５】本考案の多機能杖の杖頭の組立て立体断面図である。
【図６】本考案の多機能杖の杖頭の組立て断面図である。
【図７】本考案の多機能杖の立体概念図である。
【図８】本考案のブザー音声回路のブロック図である。
【符号の説明】
【００１５】
１          杖頭
１０        ケース
１１        ケース
１１０      貫通孔
１２        発電機
１２１      歯車対
１２１１    歯車
１２２       発電モータ
１３        回路基板
１４        クランクハンドル
１５        バッテリーパック
１６         報知灯
１６１      灯笠
１７        ブザー
１８        照明灯
１８１       集光笠
１８２       灯笠
１９        スイッチ
１９１       押し部
２０       充電ソケット
【図１】
0003120871.tif 000003
【図２】
0003120871.tif 000004
【図３】
0003120871.tif 000005
【図４】
0003120871.tif 000006
【図５】
0003120871.tif 000007
【図６】
0003120871.tif 000008
【図７】
0003120871.tif 000009
【図８】
0003120871.tif 000010